(57)【特許請求の範囲】
【請求項１】
転着剤を備えたテープを繰り出し部から繰り出してヘッドを介して被転着面に押し付けることにより、前記転着剤を被転着面に転着可能とした転着器のヘッド構造において、
前記ヘッドの先端縁は、テープ幅方向に沿う両側よりも中間が前方に位置する形状に設けられ、
前記ヘッドは前記繰り出し部を備えたケースの内外に延びてテープの面に略沿う板状部を備え、この板状部の先端縁はテープの幅方向に沿う両側よりも中間が前方に位置する曲縁形状に設けられていることを特徴とする転着器のヘッド構造。
【請求項２】
前記先端縁よりも内方位置に、テープ幅方向に略沿う穴が形成されていることを特徴とする請求項１記載の転着器のヘッド構造。
【請求項３】
前記ヘッドの先端縁よりも内方位置に、当該先端縁の位置を後退させる方向に変形を許容する穴が形成されていることを特徴とする請求項１記載の転着器のヘッド構造。
【請求項４】
前記穴は、ヘッドの先端側コーナーに沿って形成されていることを特徴とする請求項３記載の転着器のヘッド構造。
【発明の詳細な説明】
【０００１】
【発明の属する技術分野】
本発明は転着器のヘッド構造に係り、更に詳しくは、ヘッドの先端が被転着面に対して傾いた状態で当てられた状態でも確実に転着を行うことのできる転着器のヘッド構造に関する。
【０００２】
【従来の技術】
近時、文字、記号を白色の転着剤で隠蔽して修正を行うことができるようにした転着器が広く利用されている。この転着器は、手に持って利用することができる程度の大きさを備えたケースと、このケースの先端部に装着されたヘッドと、ケース内に配置されるとともに、片面に転着剤を積層してなるテープを保持する繰出ローラと、この繰出ローラから繰り出されるテープをヘッドを経て巻き取る巻取ローラとを備えて構成されている。
【０００３】
公知のヘッドとしては、例えば、図８及び図９に示されるタイプのものが存在する。このヘッド５０は、図示しないケースの先端部に位置して当該ケースの内外に延びる板状のヘッド本体５１と、このヘッド本体５１の先端部左右両側に設けられてテープの幅方向位置ずれを規制する一対の翼片部５２とを備えて構成され、これら翼片部５２間の先端縁５４は、ヘッド本体５１の長手方向に対し、同一平面内で直交する直線方向に設けられている。
【０００４】
【発明が解決しようとする課題】
しかしながら、公知のヘッド５０は、先端縁５４が直線方向に延びている構成であるため、図１０に示されるように、被転着面Ｓに対して、傾いた状態で転着を行おうとすると、先端縁５４位置のテープＴが被転着面Ｓに接触できない状態をもたらして転着を不可能にするという不都合がある。従って、転着を行うためには、ヘッド５０を被転着面Ｓに対して略直交する起立姿勢にしなければならず、転着姿勢が極めて制限的になるという不都合を招来する。
【０００５】
【発明の目的】
本発明は、このような不都合に着目して案出されたものであり、その目的は、ヘッドが被転着面に対して略直交する起立姿勢でなくても転着を行うことができる転着器のヘッド構造を提供することにある。
【０００６】
【課題を解決するための手段】
前記目的を達成するため、本発明は、転着剤を備えたテープを繰り出し部から繰り出してヘッドを介して被転着面に押し付けることにより、前記転着剤を被転着面に転着可能とした転着器のヘッド構造において、
前記ヘッドの先端縁は、テープ幅方向に沿う両側よりも中間が前方に位置する形状に設けられ、
前記ヘッドは前記繰り出し部を備えたケースの内外に延びてテープの面に略沿う板状部を備え、この板状部の先端縁はテープの幅方向に沿う両側よりも中間が前方に位置する曲縁形状に設けられる、という構成を採っている。このような構成とすれば、ヘッドの先端縁が被転着面に対して傾いた姿勢で当てがわれても、テープの幅方向端部側が被転着面に接触できる状態を得ることができる。従って、この部分的な接触が行われることで、転着器を横方向に移動させたときに、テープから転着剤を剥離する力が加えられるようになり、転着剤を被転着面に対して確実に転着させることができる。また、既存のヘッド形状を大幅に設計変更せずに経済的な負担を伴うことなく確実な転着を実現することができる。
【０００８】
【発明の実施の形態】
本発明において、前記先端縁よりも内方位置に、テープ幅方向に略沿う穴を形成することが好ましい。このような穴を設ければ、ヘッドが傾いた状態で転着される場合でも、転着時の押し付け力が反力としてヘッドの先端縁に生じ、当該先端縁が被転着面に倣うように変形してテープの接触領域を拡大することが可能となる。
【０００９】
また、前記ヘッドの先端縁よりも内方位置に、当該先端縁の位置を後退させる方向に変形を許容する穴が形成される、という構成も採用することができる。このような構成では、ヘッドが被転着面に対して傾いても、ヘッドを被転着面に押し付けたときの反力によって先端縁が後退する方向に凹むような変形を生じて転着剤を被転着面に接触させることができる。この際、穴は、ヘッド先端側のコーナーに沿って形成することが好ましく、これにより、被転着面にテープを接触させる確実性を一層高めることが可能となる。
【００１０】
【実施例】
以下、本発明の実施例を図面を参照しながら説明する。
【００１１】
図１には、本実施例に係る転着器の概略正面図が示されている。この図において、転着器１０は、横方向に長いケース１１と、このケース１１の後部側、すなわち図１中右側の内部に設けられるとともに、外周にテープＴを巻装してなる繰出部としての繰出ローラ１４と、この繰出ローラ１４の前部側に隣接配置された巻取ローラ１５と、ケース１１の前部に設けられるとともに、繰出ローラ１４からのテープＴをケース１１の前端よりも外に引き出した後に再びケース１１内に戻るように反転させるヘッド１７とを備えて構成されている。
【００１２】
前記繰出ローラ１４と巻取ローラ１５の各回転中心軸上には、プーリ１８，１９が設けられており、これらのプーリ１８，１９間にベルト２０が掛け回され、これにより、各プーリ１８，１９が同期して回転し、繰り出された転着済のテープＴを順次巻き取りできるようになっている。
【００１３】
テープＴは、樹脂フィルムを基材とした細長い帯状をなし、このフィルムの一方の面に隠蔽効果を有する白色の転着剤を積層したものによって構成されている。転着剤は、テープＴを繰出ローラ１４の外周に巻装したときに外側に表出するようになっており、これにより、ヘッド１７位置で転着剤を紙面等の被転着面Ｓ（図６参照）に転着することが可能となる。
【００１４】
前記ヘッド１７は、図２ないし図５に示されるように、ケース１１の前端側で当該ケース１１の内外に延びる細長い板状部２１を備えて構成されている。この板状部２１の後端、すなわち、図２中右端には、ケース１１内の図示しない支持軸に支持される軸筒２３が設けられている一方、左側領域の短寸幅方向両側には、テープＴの幅方向に沿う位置ずれを規制する側面視略三角形状をなす一対の翼片部２４，２４が板状部２１と一体成形されている。これら翼片部２４，２４と板状部２１の先端縁２５は、図４に示されるように、板状部２１の短寸幅方向に沿う中間、本実施例では、中心線Ｃ上にある先端Ｐが、テープＴの幅方向両側に対応する位置よりも寸法Ｌ分だけ最も前方に位置するような曲縁形状に設けられている。従って、先端縁２５に沿うテープＴは曲縁に沿うように巻き掛けられることとなる。
【００１５】
前記板状部２１において、先端縁２５よりも若干内方位置には、板状部２１の幅方向に沿って延びるスロット穴３０が形成され、このスロット穴３０により、図４中矢印Ｂ方向から外力が付与されたとき、すなわち、転着のための押し付け力が付与されたときに、その反力によって先端縁２５が内方に凹むように後退移動して変形できるようになっている。
【００１６】
本実施例に係るヘッド１７を用いた転着に際し、図１０で示した従来例と同一条件の傾きを与えた場合、図６に示されるように、先端縁２５の曲縁形状により、幅方向一端側が被転着面Ｓに対して接触できるようになる。従って、この状態で、図６中紙面直交方向に転着器１０を移動させることにより、被転着面Ｓに非接触となっている転着剤も引っ張られて転着することができる。
【００１７】
従って、本実施例によれば、転着器を使用する場合の姿勢に傾きがあっても転着を行うことができ、転着時の姿勢条件を緩和して転着不良を未然に防止することが可能となる。また、スロット穴３０の存在により、先端縁２５が被転着面Ｓに押されて凹むように作用するため、つまり、傾きがあっても先端縁２５が被転着面Ｓに倣うように変形できるため、テープＴの接触領域の拡大を図って更に良好に転着を行うことが可能となる。
【００１８】
なお、実施にあたり、図７に示されるように、翼片部２４，２４の先端を板状部２１の先端よりも若干内方位置で終わらせ、先端縁２５の各コーナーに沿った略Ｌ字状若しくは略Ｃ字状の長穴３５を設けるようにしても、前記実施例と同様の変形を伴って良好なる転着を行うことが可能となる。なお、図７では、先端縁２５の中央部領域を直線として曲縁形状を採用していないが、図４で示したように、先端縁２５を曲縁形状とすることもできる。
【００１９】
また、前記実施例におけるヘッド１７は、翼片部２４を除き、全体が扁平な板状となる形状を備えたものを図示、説明したが、本発明はこれに限定されるものではなく、線材を適宜折り曲げてヘッドを形成することもできる。この場合でも、先端縁を前記実施例のように曲縁形状にすれば足りる。また、前記実施例では巻取ローラを備えた転着器を採用したが、繰出ローラのみで巻取ローラを有しないタイプの転着器にも適用することができる。
【００２０】
【発明の効果】
以上説明したように、本発明によれば、ヘッドの先端縁がテープの幅方向に沿う両側よりも中間が前方に位置する形状に設けられているため、ヘッドが被転着面に対して傾いた姿勢で当てがわれても、テープの幅方向端部側が被転着面に接触できる状態を得ることができる。従って、被転着面に対するテープの部分的な接触を実現してテープから転着剤を剥離することができるようになり、転着器の転着姿勢の制限を緩和して転着を行うことが可能になる。
【００２１】
また、本発明は、ヘッドの板状部の先端縁が、テープの幅方向に沿う両側よりも中間が前方に位置する曲縁形状に設けられる構成であるため、既存のヘッド形状を僅かに設計変更するだけで足り、経済的な負担を伴うことなく提供することが可能となる。
【００２２】
更に、板状部の前記先端縁よりも内方位置に、テープ幅方向に略沿う穴を形成した構成では、転着時の押し付け力が反力としてヘッドの先端縁に生じ、当該先端縁が被転着面に倣うように変形してテープの接触領域を拡大することが可能となる。
【００２３】
更に、ヘッドの先端縁が直線形状若しくは曲縁形状の何れの場合でも、前記先端縁の位置を後退させる方向に変形を許容する穴を形成することによって転着剤を被転着面に接触させることができる。特に、ヘッド先端側のコーナーに沿って穴を形成した場合には、被転着面にテープを接触させる確実性を一層高めることが可能となる。
【図面の簡単な説明】
【図１】実施例に係る転着器の概略構造を示す正面図。
【図２】転着ヘッドの概略拡大斜視図。
【図３】転着ヘッドの平面図。
【図４】転着ヘッドの先端部領域を示す拡大平面図。
【図５】図３のＡ−Ａ線に沿う矢視断面図。
【図６】前記転着ヘッドの作用説明図。
【図７】転着ヘッドの変形例を示す平面図。
【図８】従来の転着ヘッドを示す概略斜視図。
【図９】従来の転着ヘッドを示す平面図。
【図１０】従来の転着ヘッドの作用説明図。
【符号の説明】
１０  転着器
１１  ケース
１４  繰出ローラ（繰り出し部）
１７  ヘッド
２１  板状部
２５  先端縁
３０  スロット穴
３５  長穴
Ｔ  テープ
Ｓ  被転着面
【図１】
0003818047.tif 000002
【図２】
0003818047.tif 000003
【図３】
0003818047.tif 000004
【図４】
0003818047.tif 000005
【図５】
0003818047.tif 000006
【図６】
0003818047.tif 000007
【図７】
0003818047.tif 000008
【図８】
0003818047.tif 000009
【図９】
0003818047.tif 000010
【図１０】
0003818047.tif 000011